(57)【要約】【課題】本発明は、３次元（３Ｄ）メガネ及び３Ｄメガネの駆動方法に関しする。【解決手段】本発明の実施形態に係る３Ｄメガネは、３次元（３Ｄ）映像が表示される映像表示装置から同期信号を受信し、前記受信した同期信号に相応するタイミング信号を生成して出力する第１駆動部と、電圧が入力され、前記タイミング信号に応じて前記入力された電圧を出力する第２駆動部と、前記同期信号を伝送する映像表示装置とのペアリング（Ｐａｉｒｉｎｇ）のための情報を保存し、前記第１駆動部の要請の際、前記保存した情報を出力する保存部と、左眼及び右眼グラスとを含み、前記第２駆動部の出力電圧に応じて前記左眼及び前記右眼グラスがオン及びオフ動作するレンズ部とを含む一方で、前記第２駆動部及び前記保存部は単一チップ（Ｃｈｉｐ）で構成されることを特徴とする。【選択図】図５
2013038786.tif 000002
【特許請求の範囲】
【請求項１】
３次元（３Ｄ）映像が表示される映像表示装置から同期信号を受信し、前記受信した同期信号に相応するタイミング信号を生成して出力する第１駆動部と、
電圧が入力され、前記タイミング信号に応じて前記入力された電圧を出力する第２駆動部と、
前記同期信号を伝送する映像表示装置とのペアリング（Ｐａｉｒｉｎｇ）のための情報を保存し、前記第１駆動部の要請の際、前記保存した情報を出力する保存部と、
左眼及び右眼グラスとを含み、前記第２駆動部の出力電圧に応じて前記左眼及び前記右眼グラスがオン及びオフ動作するレンズ部と
を含み、
前記第２駆動部及び前記保存部は単一チップ（Ｃｈｉｐ）で構成されることを特徴とする３Ｄメガネ。
【請求項２】
前記第１駆動部及び前記第２駆動部は、前記タイミング信号を処理する少なくとも一つのタイミング信号ラインで接続されることを特徴とする請求項１に記載の３Ｄメガネ。
【請求項３】
前記第１駆動部及び前記第２駆動部は、前記タイミング信号以外の付加情報を処理する一つのデータ信号ラインを更に接続することを特徴とする請求項２に記載の３Ｄメガネ。
【請求項４】
前記第１駆動部及び前記第２駆動部が、前記付加情報を処理するための制御部をそれぞれ含み、
前記第１駆動部及び前記第２駆動部は、マスタ（Ｍａｓｔｅｒ）及びスレーブ（Ｓｌａｖｅ）の設定に応じてそれぞれ動作することを特徴とする請求項３に記載の３Ｄメガネ。
【請求項５】
前記３Ｄメガネのターゲットとする映像表示装置に要請信号を伝送する同期信号要請部を更に含み、
前記映像表示装置は、要請のある前記３Ｄメガネに前記同期信号を伝送することを特徴とする請求項１に記載の３Ｄメガネ。
【請求項６】
前記映像表示装置から前記同期信号として赤外線（ＩＲ）信号を受信する赤外線信号受信部を更に含み、
前記第１駆動部が前記同期信号として双方向通信が可能なＲＦ（Ｒａｄｉｏ  Ｆｒｅｑｕｅｎｃｙ）信号を受信して処理する場合、
前記第２駆動部は、前記赤外線信号受信部から受信した前記赤外線信号を処理することを特徴とする請求項１に記載の３Ｄメガネ。
【請求項７】
前記第１駆動部は、前記受信した同期信号を周辺の３Ｄメガネに再伝送する信号送信部を含むことを特徴とする請求項１に記載の３Ｄメガネ。
【請求項８】
３次元（３Ｄ）メガネから同期信号を受信するステップと、
前記受信した同期信号を少なくとも一つのメガネに伝送するステップと、
前記同期信号に基づいて左眼及び右眼グラスをオン及びオフ動作させるステップと
を含む３Ｄメガネの駆動方法。
【請求項９】
前記少なくとも一つのメガネに伝送するステップと、
前記受信した同期信号を前記受信した同期信号と異なる同期信号に変換して伝送するステップと
を含むことを特徴とする請求項８に記載の３Ｄメガネの駆動方法。
【請求項１０】
ターゲット装置に同期信号の伝送を要請するステップと、
前記要請に基づいて前記映像表示装置から同期信号を受信するステップと、
前記同期信号に基づいて左眼及び右眼グラスをオン及びオフ動作させるステップと
を含む３Ｄメガネの駆動方法。
【請求項１１】
前記ターゲット装置に同期信号の伝送を要請するステップは、
前記ターゲット装置に赤外線（ＩＲ）信号を送出して伝送を要請することを特徴とする請求項１０に記載の３Ｄメガネの駆動方法。
【請求項１２】
同期信号を受信し、前記受信された同期信号に相応するタイミング信号を生成して出力する第１駆動部と、
入力電圧を受信し、前記タイミング信号に相応する前記入力電圧を出力する第２駆動部と、
前記同期信号を伝送する装置とのペアリングのための情報を保存し、前記第１駆動部の要請の際、前記保存された情報を出力する保存部と
を含み、
前記第２駆動部及び前記保存部は単一チップ（Ｃｈｉｐ）で構成されることを特徴とする３Ｄメガネ。
【発明の詳細な説明】
【技術分野】
【０００１】
本発明は、３次元（３Ｄ）メガネ及び３Ｄメガネの駆動方法に関し、より詳細には、３Ｄメガネを駆動するための駆動部が仮に集積回路（ＩＣ）の形態として印刷回路基板（ＰＣＢ）上に形成される際、ＩＣの数を減らして小型化を追求し、ＩＣ構造を単純化して消費電力或いは発熱を軽減できる３Ｄメガネ及び３Ｄメガネの駆動方法に関する。
【背景技術】
【０００２】
近来は、映像表示装置が２次元（２Ｄ）映像だけでなく、立体感のある３Ｄ映像を提供している。特に、立体感のある３Ｄ映像を視聴するための映像表示装置としては、特殊眼鏡を使用する眼鏡式と、特殊眼鏡を使用しない非眼鏡式とがある。特殊眼鏡を使用する眼鏡式の場合、相互補色関係にあるカラーフィルタを用いて映像を分離選択するカラーフィルタ方式、直交した偏光素子の組合せによる遮光効果を用いて左眼と右眼の映像を分離する偏光フィルタ方式、そして、左眼映像信号と右眼映像信号とをスクリーンに投射する同期信号に対応して左眼と右眼とを交互に遮断することにより立体感を感じられるようにするシャッターグラス方式がある。
【０００３】
その中、シャッターグラス方式は、立体感のある３Ｄ映像を視聴するために、映像表示装置から送信された同期信号によって３Ｄメガネの左眼グラスと右眼グラスとを交互にオン及びオフさせなければならない。
【０００４】
図１は、従来技術に係る３Ｄメガネの内部の印刷回路基板（ＰＣＢ）の一面を示す平面図であり、図２は、図１のＰＣＢの他面を示す平面図であり、図３は、図１の３Ｄメガネの駆動メカニズムを示すブロック図である。
【０００５】
図１ないし図３に示すように、従来技術に係る３Ｄメガネは、内部のＰＣＢ上に構成される多様な駆動ＩＣチップと周辺素子からなる。
【０００６】
ここで、駆動ＩＣチップは、図１及び図３に示すように、映像表示装置からアンテナ１００ａを介して受信された同期信号を処理するＲＦチップ１００と、同期信号に対応して変換電圧をレンズ部１８０に出力するアナログスイッチ１１０と、バッテリ部１５０の電圧を変換するＤＣ／ＤＣコンバータ１３０と、外部の常用電源を変換するバッテリ部１５０に充電するための充電器１２０及びＥＥＰＲＯＭ１４０等のＩＣを含む。なお、周辺素子としては、末弟部１５０と、ボタン部１６０及び発光素子１７０等を含む。
【０００７】
しかしながら、このような従来の３Ｄメガネは、ＲＦリップ１００がアナログスイッチ１１０等の周辺回路をすべて制御するために、それにより信号出力のためのピン（Ｐｉｎ）の数が増加して比較的高い価格となり、なお、ＲＦチップ１００の消費電力、特に、映像表示装置からＲＦ信号受信時に費やされる電力消耗がかなり増加してしまう。
【０００８】
なお、ＲＦチップ１００以外のアナログスイッチ１１０と、ＤＣ／ＤＣコンバータ１３０及び充電器１２０等のＩＣがＰＣＢ上に互いに分離されて構成されるため、それにより、ＰＣＢのサイズが大きくなり、回路構成のためのスペース効率も低下するという問題がある。
【先行技術文献】
【特許文献】
【０００９】
【特許文献１】米国特許６、７９１、５９９号
【特許文献２】日本特開第２０１０−２６８４５２号公報
【特許文献３】米国特開第２０１１−０１０２５６１号公報
【特許文献４】米国特開第２０１１−００１２８９６号公報
【発明の概要】
【発明が解決しようとする課題】
【００１０】
そこで、本発明は、上記問題に鑑みてなされたものであり、本発明の目的とするところは、３Ｄメガネを駆動するための駆動部が仮にＩＣの形態としてＰＣ上に形成される際、ＩＣの数を減らして小型化を追求し、ＩＣ構造を単純化して消費電力或いは発熱を軽減できる３Ｄメガネ及び３Ｄメガネの駆動方法を提供することにある。
【課題を解決するための手段】
【００１１】
本発明の実施形態に係る３Ｄメガネは、３次元（３Ｄ）映像が表示される映像表示装置から同期信号を受信し、前記受信した同期信号に相応するタイミング信号を生成して出力する第１駆動部と、電圧が入力され、前記タイミング信号に応じて前記入力された電圧を出力する第２駆動部と、前記同期信号を伝送する映像表示装置とのペアリング（Ｐａｉｒｉｎｇ）のための情報を保存し、前記第１駆動部の要請の際、前記保存した情報を出力する保存部と、左眼及び右眼グラスとを含み、前記第２駆動部の出力電圧に応じて前記左眼及び前記右眼グラスがオン及びオフ動作するレンズ部とを含む一方で、前記第２駆動部及び前記保存部は単一チップ（Ｃｈｉｐ）で構成されることを特徴とする。
【００１２】
ここで、前記第１駆動部及び前記第２駆動部は、前記タイミング信号を処理する少なくとも一つのタイミング信号ラインで接続されていることを特徴とする。
【００１３】
なお、前記第１駆動部及び前記第２駆動部は、前記タイミング信号以外の付加情報を処理する一つのデータ信号ラインを更に接続することを特徴とする。
【００１４】
前記第１駆動部及び前記第２駆動部が、前記付加情報を処理するための制御部をそれぞれ含み、前記第１駆動部及び前記第２駆動部は、マスタ（Ｍａｓｔｅｒ）及びスレーブ（Ｓｌａｖｅ）の設定に応じてそれぞれ動作することを特徴とする。
【００１５】
前記３Ｄメガネは、前記３Ｄメガネのターゲットとする映像表示装置に要請信号を伝送する同期信号要請部を更に含み、前記映像表示装置は、要請のある前記３Ｄメガネに前記同期信号を伝送することを特徴とする。
【００１６】
前記３Ｄメガネは、前記映像表示装置から前記同期信号として赤外線（ＩＲ）信号を受信する赤外線信号受信部を更に含み、前記第１駆動部が前記同期信号として双方向通信が可能なＲＦ（Ｒａｄｉｏ  Ｆｒｅｑｕｅｎｃｙ）信号を受信して処理する場合、前記第２駆動部は前記赤外線信号受信部から受信した前記赤外線信号を処理することを特徴とする。
【００１７】
前記第１駆動部は、前記受信した同期信号を周辺の３Ｄメガネに再伝送する信号送信部を含むことを特徴とする。
【００１８】
本発明の実施形態に係る３Ｄメガネの駆動方法は、３次元（３Ｄ）メガネから同期信号を受信するステップと、前記受信した同期信号を少なくとも一つのメガネに伝送するステップと、前記同期信号に基づいて左眼及び右眼グラスをオン及びオフ動作させるステップとを含む。
【００１９】
ここで、前記少なくとも一つのメガネに伝送するステップと、前記受信した同期信号を前記受信した同期信号と異なる同期信号に変換して伝送するステップとを含むことを特徴とする。
【００２０】
なお、前記３Ｄメガネの駆動方法は、ターゲット装置に同期信号の伝送を要請するステップと、前記要請に基づいて前記映像表示装置から同期信号を受信するステップと、前記同期信号に基づいて左眼及び右眼グラスをオン及びオフ動作させるステップとを含む。
【００２１】
前記ターゲット装置に同期信号の伝送を要請するステップは、前記ターゲット装置に赤外線（ＩＲ）信号を送出して伝送を要請することを特徴とする。
【００２２】
本発明の実施形態に係る３Ｄメガネは、同期信号を受信し、前記受信された同期信号に相応するタイミング信号を生成して出力する第１駆動部と、入力電圧を受信し、前記タイミング信号に相応する前記入力電圧を出力する第２駆動部と、前記同期信号を伝送する装置とのペアリング（Ｐａｉｒｉｎｇ）のための情報を保存し、前記第１駆動部の要請の際、前記保存された情報を出力する保存部とを含む一方で、前記第２駆動部及び前記保存部は単一チップ（Ｃｈｉｐ）で構成されることを特徴とする。
【発明の効果】
【００２３】
以上説明したように本発明によれば、ＩＣチップ形態で実現される駆動部のピンの数を減らして製造コスト及び電力消耗（或いは発熱）を軽減することができる。
【００２４】
更に、ユーザ用のメガネの小型化を追及することができ、内部のＰＣＢ内の回路構成に必要な空間効率を高めることができるようになる。
【図面の簡単な説明】
【００２５】
【図１】従来技術に係る３Ｄメガネの内部の印刷回路基板（ＰＣＢ）の一面を示す平面図である。
【図２】図１のＰＣＢの他面を示す平面図である。
【図３】図１の３Ｄメガネの駆動メカニズムを示すブロック図である。
【図４】本発明の第１実施形態に係る３Ｄ映像実現システムを説明するための図である。
【図５】図４のユーザ用のメガネの構造を示すブロック図である。
【図６】図５の駆動部がＰＣＢ上に構成された形態を図式化して示す図である。
【図７】図５の第１駆動部の細部構造を例示して示す図である。
【図８】図５の第２駆動部の細部構造を例示して示す図である。
【図９】図４のユーザ用のメガネの別の構造を例示して示すブロック図である。
【図１０】図４のユーザ用のメガネの更に別の構造を例示して示すブロック図である。
【図１１】本発明の第２実施形態に係る３Ｄ映像実現システムを説明するための図である。
【図１２】図１１のユーザ用のメガネの構造を示すブロック図である。
【図１３】本発明の第３実施形態に係る３Ｄ映像実現システムを説明するための図である。
【図１４】図１３のユーザ用のメガネの構造を示すブロック図である。
【図１５】本発明の第４実施形態に係る３Ｄ映像実現システムを説明するための図である。
【図１６】図１５のユーザ用のメガネの構造を示すブロック図である。
【図１７】本発明の実施形態に係る３Ｄ映像実現方法を示す図である。
【図１８】本発明の実施形態に係るユーザ用のメガネの駆動方法を示すフローチャートである。
【図１９】本発明の別の実施形態に係るユーザ用のメガネの駆動方法を示すフローチャートである。
【発明を実施するための形態】
【００２６】
以下に添付図面を参照しながら、本発明の好適な実施形態について詳細に説明する。
【００２７】
図４は、本発明の第１実施形態に係る３Ｄ映像実現システムを説明するための図である。
【００２８】
図４に示すように、本発明の第１実施形態に係る３Ｄ映像実現システムは、映像表示装置４００及びユーザ用のメガネ４１０を含む。
【００２９】
映像表示装置４００は、３Ｄ映像が実現可能な表示装置として、ＬＣＤ（Ｌｉｑｕｉｄ  Ｃｒｙｓｔａｌ  Ｄｉｓｐｌａｙ）、ＰＤＰ（Ｐｌａｓｍａ  Ｄｉｓｐｌａｙ  Ｐａｎｅｌ）及びＯＬＥＤ（Ｏｒｇａｎｉｃ  Ｌｉｇｈｔ−Ｅｍｉｔｔｉｎｇ  Ｄｉｏｄｅ）を含むＬＥＤ表示装置等を意味する。映像表示装置４００は、放送局やカムコーダーのようなユーザ用機器から３Ｄ映像が提供される場合には、当該３Ｄ映像データを処理して画面に表示し、３Ｄ映像が画面に表示される際、それに同期化した同期信号をユーザ用のメガネ４１０に伝送する。一方、２Ｄ映像が入力される場合には、入力される２Ｄ映像を３Ｄ映像に変換し、変換した３Ｄ映像が画面上に実現される際、それに同期化した同期信号をユーザ用のメガネ４１０に伝送するようになる。ここで、２Ｄ映像を３Ｄ映像に変換するとは、仮に入力される単位フレームの２Ｄ映像を左眼映像とする場合、単位フレーム毎に左眼映像を一定程度シフトさせて右眼映像を生成し、左眼（Ｌ１）→右眼（Ｒ１）→左眼（Ｌ２）→右眼（Ｒ２）の順に映像を表示できるようにすることである。このとき、右眼映像の奥行き情報は、例えば、左眼映像の客体（Ｏｂｊｅｃｔ）と背景を用いて得ることができる。
【００３０】
なお、映像表示装置４００は、双方向通信が可能なジグビー（Ｚｉｇｂｅｅ（登録商標））、ブルートゥース（Ｂｌｕｅｔｏｏｔｈ（登録商標））及びワイファイ（ＷｉＦｉ）のようなＲＦ信号を同期信号として使用してユーザ用のメガネ４１０に伝送する。無論、同期信号として、ＲＦ信号の他に、赤外線（ＩＲ）信号やパケット形態の信号も伝送されてよい。なお、同期信号、例えば、ＲＦ同期信号は左眼及び右眼映像が表示される度に、ユーザ用のメガネ４１０に伝送されてよいが、任意の左眼又は右眼映像が表示される際、最初に同期信号を伝送して、一定時間置きに同期信号を伝送することもできる。このような場合には、一定時間間隔に対する付加情報を併せて伝送すればよい。このような付加情報は、単位フレームが実現可能な全時間の中で、実際実現できる時間情報を示すデューティ（Ｄｕｔｙ）情報も含んでよい。
【００３１】
例えば、映像表示装置４００において、６０フレーム毎に同期信号を伝送すると仮定すると、それに対する付加情報をユーザ用のメガネ４１０に伝送してよい。それは、あくまでも映像表示装置４００のシステム初期設計時に決定されてよい。言い換えると、６０フレーム毎に同期信号を伝送する場合、映像表示装置４００とユーザ用のメガネ４１０の間に付加情報を２ビット信号“１０”を使用することに定めた（或いは、設定した）場合、ユーザ用のメガネ４１０は当該付加情報から同期信号が６０フレーム毎に一回提供されることを判断することができるようになる。
【００３２】
一方、ユーザ用のメガネ４１０は、映像表示装置４００から伝送された同期信号に応じて左眼及び右眼グラスを交互にオン及びオフ動作させるシャッターグラス方式の３Ｄメガネが使用されてよい。このとき、３Ｄメガネは同期信号としてＩＲ信号またはＲＦ信号を受信するように設計されていたり、兼用するように設計されてよい。上記のユーザ用のメガネ４１０は、メガネフレーム、レンズ及びレンズの駆動のための駆動部を含んでよい。ここで、レンズは左眼及び右眼グラスを含み、左眼及び右眼グラスは、それぞれ２枚のグラスとそのグラスの間の液晶を含んでよい。このような場合、２つのグラスに印加する電圧に応じて液晶がツイスト（Ｔｗｉｓｔ）されることにより、開閉動作が行われるようになる。例えば、ノーマリーホワイトモードである場合、両端電圧が同じレベルで印加される際、ターンオン動作して映像が認められ、互いに異なるレベルが印加される際、ターンオフ動作して映像が認められない。無論、ノーマリーブラックモードである場合には、その反対に動作するようになる。駆動部に関連しては引き続き詳細に説明する。
【００３３】
図５は、図４のユーザ用のメガネの構造を示すブロック図であり、図６は、図５の駆動部がＰＣＢ上に構成された形態を図式化して示す図である。なお、図７は、図５の第１駆動部の細部構造を例示して示す図であり、図８は、図５の第２駆動部の細部構造を例示して示す図である。
【００３４】
図５に示すように、本発明の第１実施形態に係るユーザ用のメガネ４１０は、仮にシャッターグラス方式の３Ｄメガネとして、第１駆動部５００と、第２駆動部５１０−１と、保存部５１０−２及びレンズ部５２０の一部又はすべてを含む。ここで、一部またはすべてを含むとは、仮に第１駆動部５００及び第２駆動部５１０−１が互いに統合されたり、保存部５１０−２が第１駆動部５００または第２駆動部５１０−１に含まれて構成されたり、一部の構成要素が省略されて構成されることを意味するものとして、発明の理解を促すために、すべてを含むものとして説明する。
【００３５】
本発明の実施形態に係るユーザ用のメガネ４１０は、図６に示すように、第１駆動部５００が単一ＩＣチップで構成され、第２駆動部５１０−１及び保存部５１０−２が単一ＩＣチップの形態で構成されてよい。第１駆動部５００は、Ｃｈｉｐ  Ａとして、図６の（ａ）に示すように、ＰＣＢの一側面に形成され、第２駆動部５１０−１及び保存部５１０−２は、Ｃｈｉｐ  ＢとしてＰＣＢの他側面に形成されてよい。このような両面配置構造は、仮に、ＩＣチップ形態をなすＣｈｉｐ ＡとＣｈｉｐ  Ｂの信号干渉または発熱問題を改善するためのものである。
【００３６】
なお、第１駆動部５００及び第２駆動部５１０−１は、仮に、第１駆動部５００に受信された同期信号を用いてタイミング信号（ＳＴ）を伝送するタイミング信号ラインと、第１駆動部５００及び第２駆動部５１０−１の間に双方向通信を行うためのデータ信号ラインで接続されてよい。データ信号ラインからは、第１駆動部５００に受信された同期信号でタイミング信号（ＳＴ）が伝送される時間間隔情報が伝送されるか、デューティ情報が伝送されてよい。
【００３７】
一方、第１駆動部５００及び第２駆動部５１０−１は、多様な形態で構成されてよい。例えば、図７及び図８を参照して制御部７２０、８２０の観点から見ると、第１に、第１駆動部５００のみが第１制御部７２０を含む場合（以下、構成例１）である。このような場合には、第１駆動部５００の第１制御部７２０が第２駆動部５１０−１を含み、ユーザ用のメガネ４１０の動作全般を制御するようになる。第２に、第２駆動部５１０−１のみが第２制御部８２０を含む場合（以下、構成例２）である。このような場合にも、第２駆動部５１０−１の第２制御部８２０が第１駆動部５００を含み、ユーザ用のメガネ４１０の動作全般を制御する。第３に、第１駆動部５００及び第２駆動部５１０−１が第１制御部７２０及び第２制御部８２０をそれぞれ含む場合（構成例３）である。このような場合には、ユーザ用のメガネ４１０の設計時にマスター及びスレーブに動作するように設定されたり、ユーザ用のメガネ４１０が任意の情報を判断して判断の結果に応じて自動的にマスター及びスレーブを設定することができる。例えば、第１駆動部５００が誤動作すると判断された場合、第２駆動部５１０−１はマスタとして動作することができる。その中、図７及び図８は、構成例３を示している。
【００３８】
より詳しく説明すると、第１駆動部５００は、図７に示すように、信号送受信部７００と、第１双方向通信部７１０及び第１制御部７２０の一部またはすべてを含んでよい。ここで、一部またはすべてを含むとは、上記の構成例２の場合を意味するものとして、仮に、第１駆動部５００が第１制御部７２０を含まない場合には、受信された同期信号のタイミング信号及び付加情報を第２駆動部５１０−１に単に伝達する役割だけを果たすのである。発明の十分な理解を促すために、すべてを含むものとして説明する。
【００３９】
ここで、信号送受信部７００は、信号送信端（Ｔｘ）と信号受信端（Ｒｘ）に分離されて構成されてよく、実質的に本発明の実施形態においては、信号送信端を除く信号受信端のみを含むのが望ましい。しかし、仮に、映像表示装置から同期信号を受信する一つのユーザ用のメガネ４１０が周辺の他のユーザ用のメガネ４１０に同期信号を伝送しなければならない場合には、信号送信端を更に含んでよい。
【００４０】
信号送受信部７００は、アンテナ５００ａを介して受信される同期信号を受信する。この過程で、例えば、信号送受信部７００は同期信号がパケット形態で提供される場合には、当該信号をデコードする過程を更に行ってよく、更に受信された同期信号を分離したり、同期信号を用いて新たな信号を生成する等の多様な動作を更に行ってよい。ここで、信号の分離とは、同期信号をタイミング信号とデューティ情報等の付加情報に分離することを意味してよい。
【００４１】
第１双方向通信部７１０は、第２駆動部５１０−１の第２双方向通信部８１０と通信を行うための通信モジュールを含んでよい。例えば、信号送受信部７００から分離された付加情報を第１制御部７２０の制御下で提供され、第２駆動部５１０−１の第２双方向通信部８１０に提供する役割を果たす。更に、上記の構成例３の場合には、第１駆動部５００と第２駆動部５１０−１との間にマスタ及びスレーブを設定するための情報をやり取りすることもできる。
【００４２】
第１制御部７２０は、第１駆動部５００内の信号送受信部７００及び第１双方向通信部７１０等を全般的に制御する役割を果たす。このような過程で、例えば、第１制御部７２０は構成例３のような場合には、内部的な動作にエラーが生じているか等を更に判断することにより、エラーが生じていると判断される際、または第１駆動部５００が入力される電圧等を点検してシステムが不安定であると判断される際、第２駆動部５１０−１にマスタの役割を託すことができる。
【００４３】
第２駆動部５１０−１は、図８に示すように、信号入出力部８００と、第２双方向通信部８１０と、第２制御部８２０と、充電部８３０と、電圧変換部８４０及びスイッチング部８５０の一部またはすべてを含んでよい。ここで、一部またはすべてを含むとは、例えば、第２制御部８２０が省略されて構成されること等を意味するものとして、発明の十分な理解を促すために、すべてを含むものとして説明する。ただ、本発明の実施形態においては、第２駆動部５１０−１が実質的にスイッチング部８５０のみを含む意味として使用されてよい。
【００４４】
信号入出力部８００は、信号入力端と信号出力端とに分離されて構成されてよい。このとき、信号入力端には第１駆動部５００からの同期信号、更に正確にはタイミング信号が入力され、信号出力端は、仮に一つのユーザ用のメガネ４１０が周辺のユーザ用のメガネ４１０に同期信号を伝送するシステムの場合において、第２駆動部５１０−１が第１駆動部５００のアンテナ５００ａを介して信号を伝送できるように信号を出力する役割を果たしてよい。
【００４５】
第２双方向通信部８１０は、第１双方向通信部７１０とその機能が大して変わらず、充電部８３０は、仮に外部の常用電源を受信して整流及び平滑等の過程を経てバッテリに一定の電圧を提供する役割を果たす。
【００４６】
なお、電圧変換部８４０は、仮に、ＤＣ／ＤＣコンバータとして充電部８３０またはバッテリに充電されたアナログ形態の電圧が提供されてデジタル形態の電圧に変換したり、更に、デジタル形態に変換された電圧を昇圧して出力する。このような変換された電圧は、ユーザ用のメガネ４１０の左眼及び右眼グラスをオン／オフ動作させるのに使用される。
【００４７】
スイッチング部８５０は、複数のスイッチング素子を含んでよい。このような複数のスイッチング素子は、同期信号、更に正確には、タイミング信号にオン／オフ動作して電圧変換部８４０から提供された電圧をユーザ用のメガネ４１０に出力する。それを通じて、ユーザ用のメガネ４１０の左眼及び右眼グラスは交互にオン／オフ動作するようになる。
【００４８】
一方、保存部５１０−２は、仮に、読み書き可能なＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）を含んでよい。このような保存部５１０−２は、仮に、ユーザ用のメガネ４１０と映像表示装置４００のペアリング、即ち、互換のための情報（或いは、データ）またはそれをアルゴリズム形態に実現したプログラムを保存することができ、情報またはプログラムは第２制御部８２０の制御下で実行されてよい。なお、図５においては、保存部５１０−２が第２駆動部５１０−１に統合されてＩＣ形態をなすものとして説明したが、第１駆動部５００に統合されてＩＣ形態をなすこともできるため、本発明の実施形態においては、それに限らない。
【００４９】
上記の構成の結果、ユーザ用のメガネ４１０は、図５の第２駆動部５１０−１及び保存部５１０−２を一つのＩＣチップ形態で構成することにより、ユーザ用のメガネ４１０の小型化を追加することができ、内部のＰＣＢ内の回路構成に必要なスペース効率を高めることができる。
【００５０】
なお、従来のように、複数のチップ形態で構成する際に比べて、製造コストを減らすことができる。仮に、複数のチップを組み立てるより、単一チップを組み立てるのにより少ない労力が費やされるため、単価が低くなる。
【００５１】
更に、第１駆動部５００の構造を第２駆動部５１０−１に分散して構成することにより、第１駆動部５００の消費電力または発熱を減少させ、構造単純化によって、信号出力ポート、即ち、ピンの数を減少させることで、製造コストを軽減することができる。
【００５２】
更に、第１駆動部５００及び第２駆動部５１０−１がマスタ及びスレーブの動作を行うことができ、システムが安定化し、信号処理が容易になる。
【００５３】
一方、これまでは、図５ないし図８を参照して、本発明の好適な実施形態として、第２駆動部５１０−１が充電部８３０と、電圧変換部８４０及びスイッチング部８５０を含み、保存部５１０−２を含まない場合について詳細に説明してきた。しかし、本発明の実施形態においては、それに限らない。仮に、第２駆動部５１０−１がスイッチング部８５０のみを含む場合であれば、機能ブロックとして別途に構成される保存部５１０−２と、充電部８３０及び電圧変換部８４０の少なくともいずれか一つの機能ブロックを統合してＩＣチップの形態で構成してよい。ただ、図５において、保存部５１０−２を第２駆動部５１０−１と別個に示したのは、保存部５１０−２がＥＥＰＲＯＭとして使用される際、データの書き込みを容易にするための構成を例示するためのものである。
【００５４】
以下では、図５の保存部５１０−２が第２駆動部５１０−１に統合されてＩＣチップ（Ｃｈｉｐ  Ｂ）の形態でなされるものとして説明する。
【００５５】
図９は、図４のユーザ用のメガネの別の構造を例示して示すブロック図である。
【００５６】
図９に示すように、本発明の実施形態に係るユーザ用のメガネ４１０は、第１駆動部９００と、第２駆動部９１０と、レンズ部９２０及び周辺回路部９３０〜９５０の一部またはすべてを含む。
【００５７】
図９のユーザ用のメガネ４１０の構造は、図５のユーザメガネ４１０の構造と比べると、周辺回路部９３０〜９５０を更に含み、第１駆動部９００及び第２駆動部９１０の間に同期信号を伝送するための複数のタイミング信号ラインを含むということで相違している。
【００５８】
例えば、Ｃｈｉｐ  Ａの第１駆動部９００がマスタとして同期信号及びその他のアルゴリズムを処理してレンズ部９２０の駆動のための電圧を出力する場合、必要な出力ポートの数は最低２つ以上であってよい。このとき、Ｃｈｉｐ  Ｂの第２駆動部９１０は、単に受動素子の役割のみを担い、第１駆動部９００の出力を単に増幅してレンズ部９２０に伝達するようになる。もし、Ｃｈｉｐ  Ｂの第２駆動部９１０が制御部を含む場合には、３ポート以上の導線を接続してデータ信号ラインで使用することもできる。
【００５９】
なお、周辺回路部９３０〜９５０は、バッテリ部９３０と、パワーボタン等のボタン部９４０及びパワーオン状態及びバッテリの充電状態を表示する状態表示部９５０を含んでよい。このような周辺回路部９３０〜９５０は、上記の構成例１ないし３に応じて、第１駆動部９００及び第２駆動部９１０に接続されて連動することができるが、図９においては、第２駆動部９１０に連動することを示している。
【００６０】
なお、第１駆動部９００は、受信された同期信号に対して複数のタイミング信号（ＳＴ１、…、ＳＴｎ）を生成して、第２駆動部９１０に提供することができる。このような場合には、第１駆動部９００と第２駆動部９１０との間に複数のタイミング信号ラインを有することが望ましい。しかし、本発明の実施形態においては、コスト削減の面から比較的に少ないラインで構成することが望ましい。
【００６１】
このような点を除くその他の第１駆動部９００及び第２駆動部９１０に関し、図５の第１駆動部５００及び第２駆動部５１０−１と大して変わらないため、それ以上の説明は省略する。
【００６２】
図１０は、図４のユーザ用のメガネの更に別の構造を例示して示すブロック図である。
【００６３】
図１０に示すように、本発明の実施形態に係るユーザ用のメガネ４１０は、第１駆動部１０００と、第２駆動部１０１０と、レンズ部１０２０及び周辺回路部１０３０〜１０５０の一部又はすべてを含む。
【００６４】
ここで、第１駆動部１０００及び第２駆動部１０１０の間には、一つのタイミング信号ラインを含む。第１駆動部１０００は受信された同期信号に対して、例えば、一つのタイミング信号を生成して第２駆動部１０１０に伝送するようになる。
【００６５】
例えば、Ｃｈｉｐ  Ｂの第２駆動部１０１０がマスタとして役割を担い、Ｃｈｉｐ  Ａの第１駆動部１０００が同期信号及び付加情報をＣｈｉｐ  Ｂの第２駆動部１０１０に伝達する場合、必要な出力ポートの数は最低１つ以上になる。
【００６６】
このような点以外のその他の第１駆動部１０００と、第２駆動部１０１０と、レンズ部１０２０及び周辺回路部１０３０〜１０５０に関連して、図９を参照した第１駆動部９００と、第２駆動部９１０と、レンズ部９２０及び周辺回路９３０〜〜９５０の内容と大して変わらないため、それ以上の説明は省略する。
【００６７】
上記の構成の結果、図１０のユーザ用のメガネ４１０は、図９のユーザ用のメガネ４１０に比べてＩＣチップ形態で実現される第１駆動部１０００のピンの数を減らして製造コスト及び電力消耗（或いは、発熱）を減らすことができる。
【００６８】
図１１は、本発明の第２実施形態に係る３Ｄ映像実現システムを説明するための図であり、図１２は、図１１のユーザ用のメガネの構造を示すブロック図である。
【００６９】
図１１及び図１２を参照すると、本発明の第２実施形態に係る３Ｄ映像実現システムは、映像表示装置１１００及びユーザ用のメガネ１１１０を含む。ここで、ユーザ用のメガネ１１１０は、第１駆動部１２００と、第２駆動部１２１０と、レンズ部１２２０と、赤外線信号受信部１２３０及び周辺回路部１２４０〜１２６０の一部またはすべてを含んでよい。
【００７０】
映像表示装置１１００は、図４の映像表示装置４００と比べると、同期信号として双方向通信が可能なＲＦ信号とともに片方向通信が可能な赤外線（ＩＲ）信号も伝送することができる。このような場合、仮に、ユーザ用のメガネ１１１０は、図１２に示すように、第１駆動部１２００はアンテナ１２００ａを介して受信されるＲＦ同期信号を処理し、第２駆動部１２１０は赤外線信号受信部１２３０を介して受信される赤外線同期信号を処理することができる。それは、無論、第１駆動部１２００及び第２駆動部１２１０が上述の構成例３でのように、それぞれの制御部を含む場合に可能であってよい。
【００７１】
もし、図１２において、第１駆動部１２００が赤外線信号受信部１２３０に連動する場合であれば、第２駆動部１２１０は別途の制御部を含まず、第１駆動部１２００から提供される同期信号、より正確には、タイミング信号に応じてレンズ部１２２０をオン／オフ駆動することができる。
【００７２】
このような点を除くその他の第１駆動部１２００、第２駆動部１２１０、レンズ部１２２０及び周辺回路部１２４０〜１２６０に関し、図９を参照して説明した第１駆動部９００、第２駆動部９１０、レンズ部９２０及び周辺回路部９３０〜９５０の内容と大して変わらないため、それ以上の説明は省略する。
【００７３】
図１３は、本発明の第３実施形態に係る３Ｄ映像実現システムを説明するための図であり、図１４は、図１３のユーザ用のメガネの構造を示すブロック図である。
【００７４】
図１３及び図１４を参照すると、本発明の第３実施形態に係る３Ｄ映像実現システムは、映像表示装置１３００及び複数のユーザ用のメガネ１３１０−１〜１３１０−４を含む。ここで、ユーザ用のメガネ１（１３１０−１）は、第１駆動部１４００と、第２駆動部１４１０と、レンズ部１４２０と、周辺回路部１４３０〜１４５０及び赤外線信号受信部１４６０の一部またはすべてを含んでよい。
【００７５】
映像表示装置１３００は、同期信号として双方向通信が可能なＲＦ信号及び片方向通信が可能な赤外線（ＩＲ）信号のいずれか一方の信号を伝送することができる。図１３においては、映像表示装置１３００が、ＩＲ信号を伝送するものとして示している。
【００７６】
なお、ユーザ用のメガネ１（１３１０−１）は、ＲＦ信号及びＩＲ信号を処理する兼用メガネであり、ユーザ用のメガネ２ないし４（１３０１−２〜１３１０−４）がＲＦ信号を処理するＲＦメガネである場合、このとき、ユーザ用のメガネ１（１３１０−１）は、ＩＲ信号をＲＦ信号に変換して他のＲＦメガネの動作に必要な情報を提供することができる。
【００７７】
このような過程において、図１４に示す第１駆動部１４００の制御部、即ち、図７の第１制御部７２０は受信された同期信号を判断または分析して、その結果に応じて伝送するか否かを決定することもできる。このような場合、制御部は別途の判断部を含んでよい。
【００７８】
例えば、Ｃｈｉｐ  Ａの第１駆動部１４００で赤外線信号受信部１４６０を介して受信したｓｙｎｃ、タイミング及びその他の情報をＣｈｉｐ  Ｂの第２駆動部１４１０においてｓｙｎｃ／ｄａｔａに転換してＣｈｉｐ  Ａの第１駆動部１４００に再び伝送することができる。このとき、Ｃｈｉｐ  Ａの第１駆動部１４００は、ｓｙｎｃ／ｄａｔａをＲＦ信号に変換して信号送信端（Ｔｘ）を通じて周辺のユーザ用のメガネ２ないし４（１３１０−２〜１３１０−４）に伝送することができるようになる。
【００７９】
一方、図に示してはいないが、ユーザ用のメガネ１（１３１０−１）は、第１駆動部１４００の信号受信端（Ｒｘ）を介して映像表示装置１３００で伝送する同期信号、仮に、ＲＦ同期信号を受信した後、制御部は再び信号送信端（Ｔｘ）を通じて周辺のユーザ用のメガネ２ないし４（１３１０−２〜１３１０−４）に当該同期信号を伝送することができる。
【００８０】
このような点以外に、図１４の第１駆動部１４００と、第２駆動部１４１０と、レンズ部１４２０及び周辺回路部１４３０〜１４５０に関しては、図９を参照した第１駆動部９００と、第２駆動部９１０と、レンズ部９２０及び周辺回路部９３０〜９５０の内容と大して変わらないため、それ以上の説明は省略する。
【００８１】
図１５は、本発明の第４実施形態に係る３Ｄ映像実現システムを説明するための図であり、図１６は、図１５のユーザ用のメガネの構造を示すブロック図である。
【００８２】
図１５及び図１６を参照すると、本発明の第４実施形態に係る３Ｄ映像実現システムは、映像表示装置１５００及びユーザ用のメガネ１５１０を含む。ここで、ユーザ用のメガネ１５１０は、第１駆動部１６００と、第２駆動部１６１０と、レンズ部１６２０と、同期信号要請部１６３０及び周辺回路部１６４０〜１６６０の一部またはすべてを含んでよい。
【００８３】
ユーザ用のメガネ１５１０は、同期信号を受信するために、ターゲットとする映像表示装置１５００以外に周辺の立体影像表示装置１５２０が接近して位置する場合には、その接近する映像表示装置１５２０から同期信号を受信しようとする傾向が見られてよい。それは、ユーザ用のメガネ１５１０が信号の強度によって周辺の映像表示装置１５２０と通信を行うのに起因するものと見られる。
【００８４】
このような点を改善するために、本発明の実施形態では、ユーザ用のメガネ１５１０がターゲットとしている映像表示装置１５００から同期信号を受信するために、仮に、同期信号要請部１６３０から赤外線信号をレンズ部１６２０が指向する映像表示装置１５００に送出するようになる。そして、映像表示装置１４００は、当該要請に基づいて同期信号をユーザ用のメガネ１５１０に伝送する。このような赤外線信号の送出は、指向方向を判断して、自動的に送出されたり、ユーザがボタン部１６５０のボタン操作の際に送出されてよい。
【００８５】
このような点を除くその他の第１駆動部１６００と、第２駆動部１６１０と、レンズ部１６２０及び周辺回路部１６４０〜１６６０に関しては、図９を参照した第１駆動部９００と、第２駆動部９１０と、レンズ部９２０及び周辺回路部９３０〜９５０の内容と大して変わらないため、それ以上の説明は省略する。
【００８６】
図１７は、本発明の実施形態に係る３Ｄ映像実現方法を示す図である。
【００８７】
説明の便宜上、図１７を図１３及び図１４と同時に参照すると、ユーザ用のメガネ１（１３１０−１）は、映像表示装置１３００に表示される３Ｄ映像に同期化した同期信号を映像表示装置１３００から受信する（Ｓ１７００）。
【００８８】
そして、ユーザ用のメガネ１（１３００−１）は、受信した同期信号を周辺のユーザ用のメガネ２（１３００−２）に伝達する（Ｓ１７１０）。このような過程で、ユーザ用のメガネ１（１３００−１）は受信した同期信号の伝達有無を判断したり、分析してから伝送することができるため、本発明の実施形態では、それに限らない。なお、信号処理に関連し、図１３及び図１４を参照して十分説明したため、それ以上の説明は省略する。
【００８９】
次いで、ユーザ用のメガネ１（１３００−１）は、受信した同期信号を用いて図１４の第１駆動部１４００、より正確には、制御部が動作して同期信号或いは同期信号のタイミング信号を第２駆動部１４１０に伝達する（Ｓ１７２０）。無論、ユーザ用のメガネ２（１３００−２）もユーザ用のメガネ１（１３００−１）から受信した同期信号によって同様に駆動するようになる。
【００９０】
その後、ユーザ用のメガネ１（１３００−２）は、第１駆動部１４００から提供された同期信号によって第２駆動部１４１０が動作して電圧をレンズ部１４２０に出力してレンズ部１４２０の左眼及び右眼グラスを交互にオン／オフ駆動させるようになる（Ｓ１７３０、Ｓ１７４０）。ユーザ用のメガネ２（１３００−２）も同様の方式で動作するようになる。
【００９１】
このような過程により、ユーザ用のメガネ１（１３００−１）及びユーザ用のメガネ２（１３００−２）は、映像表示装置１３００に表示される３Ｄ映像を視聴できるようになる。
【００９２】
図１８は、本発明の実施形態に係るユーザ用のメガネの駆動方法を示すフローチャートである。
【００９３】
説明の便宜上、図１８を図１３及び図１４とともに参照すると、ユーザ用のメガネ１（１３１０−１）は、映像表示装置１３００から同期信号を受信する（Ｓ１３００）。このとき、同期信号は片方向通信を行うＩＲ信号か、双方向通信が可能なブルートゥース等のＲＦ信号であってよい。
【００９４】
次いで、ユーザ用のメガネ１（１３１０−１）は、受信した同期信号を周辺のユーザ用のメガネ２ないし４（１３１０−２〜１３１０−４）に伝送する（Ｓ１８１０）。このような過程において、ユーザ用のメガネ１（１３１０−１）は受信した同期信号を伝達することができるが、別途の信号処理過程を経た後、新たな信号を生成して伝送することもできるため、本発明の実施形態においてはそれに限らない。
【００９５】
その後、ユーザ用のメガネ１（１３１０−１）は、受信した同期信号に基づいて左眼及び右眼グラスを交互にオン／オフ駆動するようになる（Ｓ１８２０）。
【００９６】
例えば、ユーザ用のメガネ１（１３１０−１）は、外部から入力された電圧を同期信号によってスイッチング駆動して所望の電圧を左眼及び右眼グラスに交互に出力し、オン／オフ駆動させる。このような動作に関連して、十分説明してきたため、それ以上の説明は省略する。
【００９７】
図１９は、本発明の別の実施形態に係るユーザ用のメガネの駆動方法を示すフローチャートである。
【００９８】
説明の便宜上、図１９を図１５及び図１６とともに参照すると、ユーザ用のメガネ１５１０は、ターゲットとする映像表示装置１５００に同期信号の伝送を要請する要請信号を送出する（Ｓ１９００）。ここで、要請信号は、ＬＥＤのような発光素子から提供される赤外線信号であってよい。なお、このような過程において、ユーザ用のメガネ１５１０は指向する映像表示装置１５００を自動的に認識して赤外線信号を送出するか、ユーザが別途のボタンを操作する際に赤外線信号を送出することができる。それにより、一種のペアリング動作を行うことができる。
【００９９】
次いで、ユーザ用のメガネ１５１０は、映像表示装置１５００から要請に基づいた同期信号を受信する（Ｓ１９１０）。
【０１００】
その後、ユーザ用のメガネ１５１０は、受信した同期信号に基づいて左眼及び右眼グラスを交互にオン／オフ駆動させる（Ｓ１９２０）。
【０１０１】
このような過程を通じて、ユーザ用のメガネ１５１０は映像表示装置１５００に表示される３Ｄ映像を視聴できるようになる。
【０１０２】
これまでは、多様な実施形態に通じて図１２の場合を除き、３Ｄメガネが同期信号として赤外線信号またはＲＦ信号を受信することを区分して説明した。しかし、本発明の実施形態では、それに限られるものではない。例えば、３Ｄメガネが兼用メガネの場合、赤外線信号及びＲＦ信号のいずれも受信できるように構成して、必要に応じて、当該ブロックが動作するように設計することもできる。仮に、第１駆動部または第２駆動部で受信した同期信号が赤外線信号であると判断されると、赤外線信号を処理するためのブロックを動作させ、ＲＦ信号であると判断されると、ＲＦ信号を処理するためのブロックを動作させればよい。このような過程で、３Ｄメガネは更に第１駆動部と第２駆動部のマスタ及びスレーブ動作有無を決定して駆動することもできる。それに関する内容は、すでに十分説明してきたため、それ以上の説明は省略する。
【０１０３】
以上、添付図面を参照しながら本発明の好適な実施形態について詳細に説明したが、本発明は以上の実施形態に限定されない。本発明の属する技術の分野における通常の知識を有する者であれば、特許請求の範囲に記載された技術的趣旨の範疇内において、各種の変更例または修正例に想到し得ることは明らかであり、これらについても、当然に本発明の技術的範囲に属するものと了解される。
【符号の説明】
【０１０４】
４００、１１００、１３００、１５００  映像表示装置
４１０、１３１０−１、１３１０−２、１３１０−３、１３１３０−４、１５１０  メガネ
５００、９００、１０００、１２００、１４００、１６００  第一駆動部
５００a  アンテナ
５１０−１、９１０、１０１０、１２１０、１４１０、１６１０  第二駆動部
５１０−２  保存部
５２０、９２０，１０２０、１２２０、１４２０、１６２０  レンズ部
７００  信号送受信部
７１０、８１０  双方向通信部
７２０、８２０  制御部
８００  信号入出力部
８３０  充電部
８４０  電圧変換部
８５０  スイッチング部
９３０、９４０、９５０、１０３０、１０４０、１０５０、１２４０、１２５０、１２６０、１４３０、１４４０、１４５０１６４０、１６５０、１６６０  周辺回路部
１２３０、１４６０赤外線信号受信部
１６３０  同期信号要請部
【図１】
2013038786.tif 000003
【図２】
2013038786.tif 000004
【図３】
2013038786.tif 000005
【図４】
2013038786.tif 000006
【図５】
2013038786.tif 000007
【図６】
2013038786.tif 000008
【図７】
2013038786.tif 000009
【図８】
2013038786.tif 000010
【図９】
2013038786.tif 000011
【図１０】
2013038786.tif 000012
【図１１】
2013038786.tif 000013
【図１２】
2013038786.tif 000014
【図１３】
2013038786.tif 000015
【図１４】
2013038786.tif 000016
【図１５】
2013038786.tif 000017
【図１６】
2013038786.tif 000018
【図１７】
2013038786.tif 000019
【図１８】
2013038786.tif 000020
【図１９】
2013038786.tif 000021